(57)【要約】【課題】沿面距離を確保して薄形化を図ることのできる電気集塵ユニットを提供することを目的とする。【解決手段】集塵ユニット１の端面に設けた集塵側接続面２および段上がり接続面３に設けたアース用受給端子４と、電源ユニット５の端部に設けた電源側接続面６および段下がり接続面７に設けたアース用供給端子８とを備え、集塵ユニット１の段上がり接続面３と電源ユニット５の段下がり接続面７の係合によりアース用受給端子４とアース用供給端子８を接続することにより、沿面距離を確保して薄形化を図ることができる。【選択図】図１
2006247442.tif 000002
【特許請求の範囲】
【請求項１】
集塵ユニットの端面に設けた集塵側接続面および段上がり接続面と、この段上がり接続面に設けたアース用の受給端子と、電源ユニットの端部に設けた電源側接続面および段下がり接続面と、この段下がり接続面に設けたアース用の供給端子とを備え、前記集塵ユニットの段上がり接続面と前記電源ユニットの段下がり接続面の係合によりアース用受給端子とアース用供給端子を接続する構成とした電気集塵ユニット。
【請求項２】
電源ユニットの電源側接続面に高圧接点部を臨むように設けた開口部と、前記電源ユニットの電源側接続面に設けられる突起帯とを備え、前記突起帯を高圧接点部とアース接点部間に配設した請求項１記載の電気集塵ユニット。
【請求項３】
突起帯を電源ユニットの電源側接続面までの高さとした請求項２記載の電気集塵ユニット。
【請求項４】
集塵ユニットの反電源ユニット側に設けた支持部と、この支持部を収納し保持する受け具とを備え、前記受け具を空気調和機の放熱フィンに取り付ける構成とした請求項１記載の電気集塵ユニット。
【請求項５】
受け具の底面に係合部を設け、前記係合部は支持部に設けた突部に係合可能とした請求項４記載の電気集塵ユニット。
【請求項６】
集塵ユニットに設けられる取手を、前記集塵ユニットが接続される電源ユニット側に片寄せて設けた請求項１記載の電気集塵ユニット。
【発明の詳細な説明】
【技術分野】
【０００１】
本発明は、空気調和機等の空気流路に設け、空気調和される空気中に含まれる粉塵等を除去する電気集塵ユニットに関する。
【背景技術】
【０００２】
従来、この種の電気集塵ユニットには、針状の放電電極を設けたものが知られている（例えば、特許文献１参照）。
【０００３】
以下、その電気集塵ユニットについて図１２を参照しながら説明する。
【０００４】
図に示すように、吸込口１０１および吹出口１０２を形成したフィルター枠１０３の吸込口１０１側に針状の放電電極１０４を設け、放電電極１０４と対向しフィルター枠１０３の吹出口１０２内にラスまたはパンチングメタル等の通気可能なアース電極１０５を設け、アース電極１０５の風下側にフィルター１０６を設け、フィルター装置１０７を形成していた。
【特許文献１】特開２００３−１０７３１号公報（〔００１４〕、図１）
【発明の開示】
【発明が解決しようとする課題】
【０００５】
このような従来の電気集塵ユニットでは、針状の放電電極１０４の先端はアース電極１０５に略平行な方向に向いており、集塵性能が未だ不充分で薄形に形成できないという課題があり、沿面距離を確保して薄形に形成することが要求されている。
【０００６】
本発明は、上記課題を解決するものであり、沿面距離を確保して薄形化を図ることのできる電気集塵ユニットを提供することを目的としている。
【課題を解決するための手段】
【０００７】
本発明の電気集塵ユニットは上記目的を達成するために、集塵ユニットの端面に設けた集塵側接続面および段上がり接続面と、この段上がり接続面に設けたアース用の受給端子と、電源ユニットの端部に設けた電源側接続面および段下がり接続面と、この段下がり接続面に設けたアース用の供給端子とを備え、前記集塵ユニットの段上がり接続面と、前記電源ユニットの段下がり接続面の係合によりアース用受給端子とアース用供給端子を接続する構成としたものである。
【０００８】
この手段により、沿面距離を確保して薄形化を図ることのできる電気集塵機が得られる。
【０００９】
また、他の手段は、電源ユニットの電源側接続面に高圧接点部を臨むように設けた開口部と、前記電源ユニットの電源側接続面に設けられる突起帯とを備え、前記突起帯を高圧接点部とアース接点部間に配設したものである。
【００１０】
この手段により、沿面距離を大幅に確保することができる電気集塵機が得られる。
【００１１】
また、突起帯を電源ユニットの電源側接続面までの高さとしたものである。
【００１２】
この手段により、集塵ユニットの着脱時の操作性の向上を図ることのできる電気集塵機が得られる。
【００１３】
また、他の手段は、集塵ユニットの反電源ユニット側に設けた支持部と、この支持部を収納し保持する受け具とを備え、前記受け具を空気調和機の放熱フィンに取り付ける構成としたものである。
【００１４】
この手段により、設置構造の簡素化を可能とした電気集塵機が得られる。
【００１５】
また、他の手段は、受け具の底面に係合部を設け、前記係合部は支持部に設けた突部に係合可能としたものである。
【００１６】
この手段により、集塵ユニットの着脱操作性を大幅に向上できる電気集塵機が得られる。
【００１７】
また、他の手段は、集塵ユニットに設けられる取手を前記集塵ユニットが接続される電源ユニット側に片寄せて設けたものである。
【００１８】
この手段により、集塵ユニットの着脱操作性を向上することができる電気集塵機が得られる。
【発明の効果】
【００１９】
本発明によれば沿面距離を確保して薄形化を図ることができるという効果のある電気集塵機を提供できる。
【００２０】
また、沿面距離を大幅に確保できるという効果のある電気集塵機を提供できる。
【００２１】
また、集塵ユニットの着脱時の操作性の向上を図ることのできるという効果のある電気集塵機を提供できる。
【００２２】
また、設置構造の簡素化を可能にできるという電気集塵ユニットを提供できる。
【発明を実施するための最良の形態】
【００２３】
本発明の請求項１記載の発明は、集塵ユニットの端面に設けた集塵側接続面および段上がり接続面と、この段上がり接続面に設けたアース用の受給端子と、電源ユニットの端部に設けた電源側接続面および段下がり接続面と、この段下がり接続面に設けたアース用の供給端子とを備え、前記集塵ユニットの段上がり接続面と前記電源ユニットの段下がり接続面の係合によりアース用受給端子とアース用供給端子を接続する構成としたものであり、電源ユニットと集塵ユニットの接続端面にそれぞれ段差を設けることで、電源ユニットに集塵ユニットを着脱するときに、接触面積を少なくして摩擦抵抗が小さくなり、アース部分の弾力性を利用した係止部分を係止直前迄作動させることがなく、操作性を改善するとともに、高圧側と低圧側の接続端子間の沿面距離および空間距離をより長く確保し、電気集塵ユニットの薄形化を可能にできるという作用を有する。
【００２４】
また、請求項２記載の発明は、電源ユニットの電源側接続面に高圧接点部を臨むように設けた開口部と、前記電源ユニットの電源側接続面に設けられる突起帯とを備え、前記突起帯を高圧接点部とアース接点部間に配設したものであり、高圧接点部とアース接点部間に突起帯が配置可能となり、高圧部とアース部の沿面距離を大幅に確保することができるという作用を有する。
【００２５】
また、請求項３記載の発明は、突起帯を電源ユニットの電源側接続面までの高さとしたものであり、集塵ユニットの着脱時のスライド移動をするときのガイドとなり、集塵ユニットの着脱時の操作性が向上するという作用を有する。
【００２６】
また、請求項４記載の発明は、集塵ユニットの反電源ユニット側に設けた支持部と、この支持部を収納し保持する受け具とを備え、前記受け具を空気調和機の放熱フィンに取り付ける構成としたものであり、集塵ユニットを電源ユニットのみの片持ち構造とした場合には、エアコンへの装着時に電源部側の反対側が浮いてしまい集塵ユニットが傾くこととなる。これを防ぐため、集塵ユニットの端部に設けた支持部を受け具に収納することで集塵ユニットの傾きが防止されるとともに、放熱フィンの変形や破損もなく、風路を垂直に保つことで性能の低下を抑え、電気集塵ユニットの設置構造の簡素化が可能となるという作用を有する。
【００２７】
また、請求項５記載の発明は、受け具の底面に係合部を設け、前記係合部は支持部に設けた突部に係合可能としたものであり、受け具に係止部を追加して支持部に設けた突部に係合させることで、集塵ユニットの両端が確実に保持されるとともに、集塵ユニットの着脱操作性を大幅に向上することができるという作用を有する。
【００２８】
また、請求項６記載の発明は、集塵ユニットに設けられる取手を、前記集塵ユニットが接続される電源ユニット側に片寄せて設けたものであり、集塵ユニットの着脱時に抵抗の大きい側となる電源ユニット側に片寄せて取手を設けていることにより、集塵ユニットの着脱が容易となり、着脱操作性を向上させることができるという作用を有する。
【００２９】
以下、本発明の実施の形態について図面を参照しながら説明する。
【００３０】
（実施の形態１）
図１〜図５に示すように、集塵ユニット１の端面に設けた集塵側接続面２および段上がり接続面３と、段上がり接続面３に設けたアース用受給端子４と、電源ユニット５の端部に設けた電源側接続面６および段下がり接続面７と、段下がり接続面７に設けたアース用供給端子８とを備え、集塵ユニット１の段上がり接続面３と電源ユニット５の段下がり接続面７の係合により、アース用受給端子４にアース用供給端子８が接続されるように設ける。
【００３１】
また、電源ユニット５の電源側接続面６に高圧接点部９を臨むように設けた開口部１０と、電源ユニット５の電源側接続面６に設けられる突起帯１１とを備え、突起帯１１を高圧接点部９とアース接点部となるアース用供給端子８間に配設し、突起帯１１は電源ユニット５の電源側接続面６に設けた段下がり接続面７に設け、突起帯１１の高さを電源側接続面６までの高さに形成して構成する。
【００３２】
上記構成において、電源ユニット５に集塵ユニット１を取り付けるときには電源ユニット５に設けた電源側接続面６に集塵ユニット１の集塵側接続面２を係合するように挿入すると、電源ユニット５の段下がり接続面７と集塵ユニット１の段上がり接続面３が係合して保持される。このとき、電源ユニット５の段下がり接続面７に設けたアース用供給端子８に集塵ユニット１の段上がり接続面３に設けたアース用受給端子４と接続されるとともに、電源ユニット５に設けた高圧接点部９が集塵ユニット１に設けた高圧受電部（図示せず）に接続され、電源ユニット５に集塵ユニット１が取り付けられる。
【００３３】
そして、集塵ユニット１と電源ユニット５の接続端面にそれぞれ段上がり接続面３と段下がり接続面７を設けていることで、電源ユニット５に集塵ユニット１を着脱するときの接触する接触面積が小なくなり、摩擦抵抗が小さくなり、アース用受給端子４とアース用供給端子８の弾力性を利用した係止部分を係止直前まで作動させることがなくなり、操作性が改善されるとともに、高圧側と低圧側の接続端子間の沿面距離および空間距離をより長く確保することができ、電気集塵ユニットの薄形化を可能にすることができることとなる。
【００３４】
また、電源ユニット５に設けられる突起帯１１を高圧接点部９とアース用供給端子８間に設けていることにより、高圧接点部９とアース用供給端子８間の沿面距離を大きく確保することができることとなる。
【００３５】
また、突起帯１１を電源ユニット５のアース用供給端子８の設けられる段下がり接続面７に設け、突起帯１１の高さを電源側接続面６の高さとしたことにより、集塵ユニット１の着脱時にスライドさせるガイドとなり操作性向上の役目を果すこととなる。
【００３６】
（実施の形態２）
図６〜図１１に示すように、集塵ユニット１Ａが接続される電源ユニット５Ａが接続されない反電源ユニット側の集塵ユニット１Ａの端部に設けた支持部１２と、支持部１２を収納し保持する受け具１３とを設け、受け具１３を取付脚１４を介して空気調和機の放熱フィン１５に取り付けられるように形成し、受け具１３の底面に係合部１６を設け、係合部１６は支持部１２に設けた突部１７に係合可能に設け、電源ユニット５Ａにも取付脚１４を設ける。
【００３７】
また、集塵ユニット１Ａに設けられる取手１８を、集塵ユニット１Ａが接続される電源ユニット５Ａ側に片寄せて設け構成する。
【００３８】
上記構成において、電気集塵ユニットを空気調和機の放熱フィン１５に取り付けるときには、放熱フィン１５に電源ユニット５Ａおよび受け具１３を取り付けた状態で、集塵ユニット１Ａを取り付ける場合には、電源ユニット５Ａ側については（実施の形態１）で説明したように取り付けられ、反電源ユニット側の集塵ユニット１Ａの端部に設けた支持部１２は放熱フィン１５に取り付けられている受け具１３内に収納され、支持部１２に設けた突部１７が受け具１３に設けた係合部１６に係合して集塵ユニット１Ａの両方の端部が保持されることとなる。このことにより、集塵ユニット１Ａが傾いて取り付くのが防止され、風路を垂直に保つことで性能の低下が抑えられ、電気集塵ユニットの設置構造の簡素化を可能にすることができる。
【００３９】
また、受け具１３に係合部１６を設け支持部１２に設けた突部１７を係合させることにより集塵ユニット１Ａの両端が確実に保持されるとともに、着脱時の抵抗を左右均等にでき、着脱操作性を大幅に向上できる。
【００４０】
また、集塵ユニット１Ａに設けられる取手１８を集塵ユニット１Ａが接続される電源ユニット５Ａ側に片寄せて設けていることにより、集塵ユニット１Ａの着脱時に抵抗の大きい電源ユニット５Ａ側に近づけて取手１８を設けることで集塵ユニット１Ａの着脱操作が容易となり、着脱操作性を向上させることができることとなる。
【産業上の利用可能性】
【００４１】
段上がり接合面と段下がり接合面等を用いて高電圧を供給する部品を容易に着脱することができ、高圧印加されるイオン化部および集塵部を着脱する空気清浄機の用途にも適用できる。
【図面の簡単な説明】
【００４２】
【図１】（ａ）本発明の実施の形態１の電気集塵ユニットの電源ユニットの斜視図（ｂ）同電気集塵ユニットの集塵ユニットの斜視図
【図２】同電気集塵ユニットの電源ユニットの側面図
【図３】同電気集塵ユニットの集塵ユニットの側面図
【図４】同電気集塵ユニットの集塵ユニットを電源ユニットに取付時の状態を示す正面図
【図５】同電気集塵ユニットの正面図
【図６】本発明の実施の形態２の電気集塵ユニットの取付時の状態を示す正面図
【図７】同電気集塵ユニットの下面図
【図８】同電気集塵ユニットの放熱フィンに取付時の状態を示す断面図
【図９】同電気集塵ユニットの受け具の斜視図
【図１０】同電気集塵ユニットの支持部と受け具の関係を示す断面図
【図１１】同電気集塵ユニットをエアコンに取り付けた状態を示す断面図
【図１２】従来の電気集塵ユニットの断面図
【符号の説明】
【００４３】
１    集塵ユニット
１Ａ  集塵ユニット
２    集塵側接続面
３    段上がり接続面
４    アース用受給端子
５    電源ユニット
５Ａ  電源ユニット
６    電源側接続面
７    段下がり接続面
８    アース用供給端子
９    高圧接点部
１０  開口部
１１  突起帯
１２  支持部
１３  受け具
１５  放熱フィン
１６  係合部
１７  突部
１８  取手
【図１】
2006247442.tif 000003
【図２】
2006247442.tif 000004
【図３】
2006247442.tif 000005
【図４】
2006247442.tif 000006
【図５】
2006247442.tif 000007
【図６】
2006247442.tif 000008
【図７】
2006247442.tif 000009
【図８】
2006247442.tif 000010
【図９】
2006247442.tif 000011
【図１０】
2006247442.tif 000012
【図１１】
2006247442.tif 000013
【図１２】
2006247442.tif 000014